Podtech/llm-jp-corpus-v4-ja_patent huggingface dataset:
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
遠位端と近位端とを有し、該遠位端と該近位端との間に長手方向軸を画定するカートリッジから流体を分注するための装置であって、
前記カートリッジをカートリッジ保持空間に収容するための第１及び第２のクラムシェル部材を含むカートリッジホルダであって、該クラムシェル部材の一方が、前記カートリッジ保持空間に対する前記カートリッジの収容及び取り出しを可能にするように他方のクラムシェル部材に向かって、及びそこから離れて、前記カートリッジの前記長手方向軸に平行な回転軸のまわりに回転するように、前記第１及び第２のクラムシェル部材は、蝶番によって接続されている、カートリッジホルダと、
排出通路と排出口とを含む分注区画と、
を備え、
前記排出通路は、前記カートリッジが前記第１及び第２のクラムシェル部材間に収容された時に、前記流体を受け取るように前記カートリッジの前記遠位端と連通して、分注動作中に前記流体を前記排出口に導くことを特徴とする装置。
【請求項２】
前記第１のクラムシェル部材は固定ベース部材であり、前記第２のクラムシェル部材は可動クラムシェル部材であり、
前記装置は、前記第２の可動クラムシェル部材に結合されたクラムシェルアクチュエータをさらに備え、該クラムシェルアクチュエータは、前記カートリッジの装填及び取り外しのための開位置と、前記カートリッジから前記流体を分注するための閉じた密封位置との間で前記第２の可動クラムシェル部材を動かす、請求項１に記載の装置。
【請求項３】
前記排出通路を取り囲み、前記カートリッジが前記カートリッジホルダ内に固定されている時に前記カートリッジの前記遠位端に係合する第１のシールをさらに備える、請求項１に記載の装置。
【請求項４】
前記カートリッジホルダは、近位端及び遠位端をさらに有し、前記第１のシールは、前記カートリッジホルダの前記遠位端に近接して位置づけられる、請求項３に記載の装置。
【請求項５】
前記第１のシールは、前記カートリッジの前記遠位端における表面に係合して密封するように構成された面シールをさらに含む、請求項４に記載の装置。
【請求項６】
前記カートリッジホルダに動作可能に結合されて、前記カートリッジ保持空間から前記カートリッジを排出するように作動するよう構成されたカートリッジ排出器をさらに備える、請求項１に記載の装置。
【請求項７】
締め付け位置においてオーバーセンタ配向に移行する連接部組立体を含む締め付け密封機構をさらに備える、請求項１に記載の装置。
【請求項８】
前記締め付け密封機構は、異なる長さの流体カートリッジに対応するように調整可能である、請求項７に記載の装置。
【請求項９】
前記締め付け密封機構に結合されて、前記締め付け密封機構を前記締め付け位置と非締め付け位置との間で移動させる締め付けアクチュエータをさらに備える、請求項７に記載の装置。
【請求項１０】
前記カートリッジホルダは、突出部と該突出部の外面とであって、該突出部は、該突出部内に軸方向通路を画定し、該突出部の該外面は、該突出部の該外面から離れて突出する保持バンドを画定する、突出部と該突出部の外面とをさらに備える、請求項１に記載の装置。
【請求項１１】
前記クラムシェルアクチュエータは、前記カートリッジホルダの下に取り付けられ、且つ前記第２のクラムシェル部材に結合された往復ロッドを備える、請求項２に記載の装置。
【請求項１２】
前記クラムシェルアクチュエータは、前記第２のクラムシェル部材を前記開位置と前記閉位置との間で移動させるように、前記ロッドを往復させるように構成された空気圧シリンダをさらに備える、請求項１１に記載の装置。
【請求項１３】
前記流体は、ポリスルフィド、ウレタン、エポキシ、接着剤又はシリコーンを含む、請求項１に記載の装置。
【請求項１４】
前記カートリッジの前記近位端は、密封されている、請求項１に記載の装置。
【請求項１５】
前記分注区画は、前記流体を分注するための開位置と前記流体の前記分注を停止するための閉位置との間で動作するように構成された分注弁をさらに備える、請求項１に記載の装置。
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
粒子サイズ分布情報を提供するための粒子感知システムであって、
粒子を取り込んだ流体が通過させられる感知空間と、
前記感知空間において熱泳動粒子運動を誘導するための構成と、
集められた粒子を感知するためのセンサと、
を有し、 前記構成は、重力の方向とは逆に、上向きの熱泳動粒子運動を誘導し、前記センサは、前記感知空間の上端に配置され、
前記感知空間は長細のチャネルを形成し、前記流体は前記チャネルに沿って流れる、粒子感知システムにおいて、
前記センサは、前記長細のチャネルの長さ方向に沿って配置された一連のセンサ要素を有し、各前記センサ要素は、特定の粒子サイズを感知するよう配置されたことを特徴とする、粒子感知システム。
【請求項２】
前記構成は、前記感知空間の下端において加熱板を有する、請求項１に記載の粒子感知システム。
【請求項３】
前記構成は、前記感知空間において異なる熱勾配を連続的に提供するよう調節可能である、請求項１又は２に記載の粒子感知システム。
【請求項４】
前記構成は、少なくとも４００Ｋ／ｃｍ、より好適には少なくとも６００Ｋ／ｃｍ、より好適には少なくとも８００Ｋ／ｃｍである、前記感知空間における熱勾配を提供するよう構成された、請求項１乃至３のいずれか一項に記載の粒子感知システム。
【請求項５】
前記センサは、質量センサを有する、請求項１乃至４のいずれか一項に記載の粒子感知システム。
【請求項６】
前記センサは、光学センサを有する、請求項１乃至４のいずれか一項に記載の粒子感知システム。
【請求項７】
前記感知空間を通る流体の流速を制御するための流量コントローラを有する、請求項１乃至６のいずれか一項に記載の粒子感知システム。
【請求項８】
前記一連のセンサ要素の異なるセンサ要素が、異なる粒子サイズを感知するよう構成された、請求項１乃至７のいずれか一項に記載の粒子感知システム。
【請求項９】
前記一連のセンサ要素の或るセンサ要素はＰＭ２．５粒子センサであり、前記一連のセンサ要素の別のセンサ要素はＰＭ１０粒子センサである、請求項８に記載の粒子感知システム。
【請求項１０】
粒子サイズ分布情報を提供するための粒子感知方法であって、
粒子を取り込んだ流体に感知空間を通過させるステップと、
前記感知空間において熱泳動粒子運動を誘導するステップと、
集められた粒子を感知するステップと、
を有し、前記熱泳動粒子運動は、重力の方向とは逆に、上向きに誘導され、前記感知するステップは、前記感知空間の上端に位置する粒子に対するものである方法において、
前記集められた粒子を感知するステップは、前記感知空間の長さ方向に沿った複数の位置において、前記集められた粒子を独立して感知することにより実行されることを特徴とする、粒子感知方法。
【請求項１１】
前記感知空間において異なる温度勾配を提供するよう加熱を連続的に調節するステップを有する、請求項１０に記載の粒子感知方法。
【請求項１２】
前記感知空間を通る流体の流速を制御するステップを有する、請求項１０又は１１に記載の粒子感知方法。
【請求項１３】
前記複数の位置のそれぞれにおいて、異なる粒子サイズが検知される、請求項１０乃至１２のいずれか一項に記載の粒子感知方法。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
水溶液中の炭化水素を検知するためのシステムであって、前記システムは、
検査される前記水溶液を受容し、少なくとも検査試料を提供して動作する、微粒子フィルタを含む前処理ステージと、
少なくとも１つの検体に対する少なくとも部分的選択性を有するポリマー被覆による少なくとも１つのセンサを含むフローセルであって、前記前処理ステージに接続され、前記検査試料および基準試料を受容する、フローセルと、
マイクロコントローラであって、前記少なくとも１つのセンサの出力を受信し、前記マイクロコントローラに通信可能に接続されたデータ記憶デバイスに記憶されたコンピュータ可読コードを実行して、前記水溶液中の少なくとも１つの検体の濃度を推定するためにカルマンフィルタのバンクで前記少なくとも１つのセンサの前記出力における周波数シフトを処理する、マイクロコントローラと、
を含むシステム。
【請求項２】
前記少なくとも１つのセンサは、
ポリ（エチルアクリレート）（ＰＥＡ）のポリマー被覆を含む第１のＳＨ−ＳＡＷセンサを有する第１の遅延線と、
ポリ（エピクロロヒドリン）（ＰＥＣＨ）のポリマー被覆を含む第２のＳＨ−ＳＡＷセンサを有する第２の遅延線と、
ポリ（イソブチレン）（ＰＩＢ）のポリマー被覆を含む第３のＳＨ−ＳＡＷセンサを有する第３の遅延線と、
ポリ（メタクリル酸メチル）（ＰＭＭＡ）のポリマー被覆を含む第４のＳＨ−ＳＡＷセンサを有する第４の遅延線と、
を含む、請求項１に記載のシステム。
【請求項３】
前記第１、第２、第３、および第４の遅延線の各々は、入力信号を受信し、前記それぞれの検体選択的ポリマー被覆によって処理済みの前記試料内の前記炭化水素の濃度および前記炭化水素の吸収に基づいて、振幅および位相シフトで出力信号を生成し、
位相検出器であって、前記第１、第２、第３、および第４の遅延線の各々、ならびに位相基準信号からの前記出力信号を受信し、前記出力信号の各々に対する位相シフトを出力する、位相検出器と、
振幅検出器であって、前記第１、第２、第３、および第４の遅延線の各々、ならびに振幅基準信号から前記出力信号を受信し、前記出力信号の各々に対する差動振幅を出力する、振幅検出器と、をさらに含み、
前記マイクロコントローラは、前記位相シフトを処理して前記出力信号の各々に対する対応する周波数シフトを判定し、前記差動振幅を処理して前記水溶液中の少なくとも１つの検体の濃度を推定する、請求項４に記載のシステム。
【請求項４】
前記前処理ステージは、前記検査試料から気泡を除去するように動作可能な気泡トラップをさらに含む、請求項１に記載のシステム。
【請求項５】
前記前処理ステージはさらに、前記検査試料からフミン酸を除去するように動作する、請求項４に記載のシステム。
【請求項６】
前記少なくとも１つのセンサは、
第１のポリマー被覆を含む第１のＳＨ−ＳＡＷセンサを有する第１の遅延線と、
第２のポリマー被覆を含む第２のＳＨ−ＳＡＷセンサを有する第２の遅延線と、
第３のポリマー被覆を含む第３のＳＨ−ＳＡＷセンサを有する第３の遅延線と、
第４のポリマー被覆を含む第４のＳＨ−ＳＡＷセンサを有する第４の遅延線と、を含み、
前記第４の遅延線は基準遅延線であり、前記炭化水素はベンゼン、トルエン、およびエチルベンゼン／キシレンからなり、
位相検出器は前記第１、第２、第３、および第４の遅延線の各々、ならびに位相基準信号からの前記出力信号を受信し、前記出力信号の各々に対する位相シフトを出力し、
振幅検出器は前記第１、第２、第３、および第４の遅延線の各々、ならびに振幅基準信号から前記出力信号を受信し、前記出力信号の各々に対する差動振幅を出力し、
前記マイクロコントローラは前記位相シフトを処理して前記出力信号の各々に対する対応する周波数シフトを判定し、前記差動振幅を処理して前記水溶液中の少なくとも１つの検体の濃度を推定する、請求項１に記載のシステム。
【請求項７】
前記カルマンフィルタのバンクは、前記水溶液中のベンゼン、トルエン、およびエチルベンゼン／キシレンの各々の濃度を同時に推定するように動作する、請求項６に記載のシステム。
【請求項８】
前記マイクロコントローラは最初に、前記水溶液中のベンゼン、トルエン、およびエチルベンゼン／キシレンの各々の濃度の初期推定値を生成する再帰的最小二乗技術で前記受信した差動振幅および周波数シフトを処理し、その後に前記水溶液中のベンゼン、トルエン、およびエチルベンゼン／キシレンの各々の精緻化した推定値濃度を生成する初期条件として前記初期推定値を使用して前記カルマンフィルタのバンクで処理する、請求項７に記載のシステム。
【請求項９】
前記マイクロコントローラは、前記第１、第２、第３、および第４のポリマー被覆内の前記炭化水素の濃度が定常状態に達する前に、前記水溶液中のベンゼン、トルエン、およびエチルベンゼン／キシレンの各々の濃度の前記精緻化した推定値を生成する、請求項７に記載のシステム。
【請求項１０】
前記前処理ステージは、前記基準試料を前記フローセルに選択的に提供し、前記マイクロコントローラが前記フローセル内の前記基準試料の定常状態を検出した後、前記前処理ステージは、前記検査試料を前記フローセルに選択的に提供する、請求項１に記載のシステム。
【請求項１１】
前記マイクロコントローラが前記水溶液中の少なくとも１つの検体の濃度を推定した後、前記前処理ステージは、前記基準試料を前記フローセルに選択的に提供する、請求項１０に記載のシステム。
【請求項１２】
水溶液中の炭化水素を検出する方法であって、前記方法は、
水試料を前処理して、前記水試料を少なくとも粒子濾過することによって検査試料を生成することと、
少なくとも１つの検体に対する少なくとも部分的選択性を有するポリマー被覆による少なくとも１つのセンサを含むフローセルに基準試料を提供することと、
前記センサの第１の出力信号を測定して、基線結果を確立することと、
前記検査試料を前記フローセルに提供することと、
前記センサの第２の出力信号を測定することと、
前記基線結果を前記第２の出力信号と比較して、周波数シフトを生成することと、
前記水試料中で同定することが求められる少なくとも１つの検体に対するセンサ応答をモデル化することと、
少なくとも前記モデル化したセンサ応答および前記周波数シフトに基づいて少なくとも１つの検体濃度の初期推定値を生成することと、
カルマンフィルタのバンクで前記初期推定値を処理することによって少なくとも１つの検体濃度の精緻化した推定値を生成することと、
を含む方法。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
センサ信号を発生する光センサであって、前記センサ信号または前記センサ信号の分析が閾値設定を適用することにより制御可能であり、前記閾値設定が前記センサ信号によりキャプチャされる粒径検出範囲を決定する、光センサと、
コントローラであって、
相異なる少なくとも第１の閾値設定と第２の閾値設定を適用し、対応する第１の光センサ読み取り値と第２の光センサ読み取り値を受け取り、
前記第１の光センサ読み取り値と第２の光センサ読み取り値を処理して、汚染イベントのタイプに依存するパラメータを決定し、それにより前記汚染イベントを特定し、
特定された汚染イベントに関する粒径プロファイルを用いて、前記第１の光センサ読み取り値と第２の光センサ読み取り値のうちの少なくとも１つから、第１の粒径未満の全粒子の質量を決定する、コントローラとを有する
光学式粒子センサ。
【請求項２】
前記光センサは第２の粒径より大きく第１の粒径より小さい粒子にのみ感度を有する、
請求項１に記載のセンサ。
【請求項３】
前記光センサは、単位時間当たりのカウントの尺度を提供し、任意的に、比較器によるアナログ信号のデジタル化後の低パルス占有率の尺度も提供し、低パルス占有率の尺度を提供するため、前記光センサは、光源と、散乱信号パルスを測定する光検出器とを有し、前記コントローラは、高さ閾値を越える散乱信号パルスのカウントを提供し、前記高さ閾値を越える検出がある時間の割合を決定するように適応される、
請求項１に記載のセンサ。
【請求項４】
前記コントローラは、前記第１の光センサ読み取り値と第２の光センサ読み取り値を処理するように適応され、前記処理は、
前記第１の閾値設定の場合の単位時間当たりの粒子カウントと、前記第２の閾値設定の場合の低パルス占有率とを組み合わせること、又は
前記第１の閾値設定の場合の単位時間当たりの粒子カウントと、前記第２の閾値設定の場合の単位時間当たりの粒子カウントとを組み合わせることにより行われる、
請求項３に記載のセンサ。
【請求項５】
前記第１の閾値設定は前記第２の閾値設定よりも、広い範囲の粒径を検出するものである、請求項１に記載のセンサ。
【請求項６】
前記コントローラは、前記パラメータに基づいて、前記第１の光センサ読み取り値と第２の光センサ読み取り値のうち一つを修正し、前記第１の粒径未満のすべての粒子の検知質量を求めるように適応された、請求項１に記載のセンサ。
【請求項７】
前記第１の粒径未満のすべての粒子の質量を示す情報を表示するディスプレイを有し、
前記コントローラは第１の質量信号と、第２の移動平均質量信号とを生成するように適応され、
前記第１の質量信号はリアルタイムセンサ信号であるか、又は第２の質量信号より短い持続時間にわたって平均された移動平均信号であり、プロセッサは前記第１の質量信号と第２の質量信号のうち一つを含む表示用の出力を提供するように適応される、
請求項１に記載のセンサ。
【請求項８】
前記コントローラは前記第１の質量信号と第２の質量信号の一つを、それらの差分に応じて選択するように適応される、請求項７に記載のセンサ。
【請求項９】
光センサを作動してセンサ信号を生成することと、
相異なる少なくとも第１の閾値設定と第２の閾値設定を適用することにより、前記光センサを制御または生成されたセンサ信号を分析し、第１の光センサ読み取り値と第２の光センサ読み取り値を取得することであって、閾値設定が前記センサ信号によりキャプチャされる粒径検出範囲を決めることと、
前記第１の光センサ読み取り値と第２の光センサ読み取り値を処理して、汚染イベントのタイプに依存するパラメータを決定し、それにより汚染イベントのタイプを特定することと、
特定された汚染イベントに関する粒径プロファイルを用いて、前記第１の光センサ読み取り値と第２の光センサ読み取り値のうちの少なくとも１つから、第１の粒径未満の全粒子の質量を決定することとを含む、
光学式粒子センシング方法。
【請求項１０】
前記第１の閾値設定の単位時間当たりの粒子カウントと、前記第２の閾値設定の低パルス占有率とを組み合わせることにより、前記第１の光センサ読み取り値と第２の光センサ読み取り値を処理すること、又は
前記第１の閾値設定の単位時間当たりの粒子カウントと、前記第２の閾値設定の単位時間当たりの粒子カウントとを組み合わせることにより、前記第１の光センサ読み取り値と第２の光センサ読み取り値を処理することを含む
請求項９に記載の方法。
【請求項１１】
前記第１の閾値設定は前記第２の閾値設定よりも、広い範囲の粒径を検出するものである、請求項９に記載の方法。
【請求項１２】
前記パラメータに基づいて前記第１の光センサ読み取り値と第２の光センサ読み取り値のうちの１つを修正することと、それにより前記第１の粒径未満のすべての粒子の質量を求めることとを含む、
請求項９に記載の方法。
【請求項１３】
前記第１の粒径未満のすべての粒子の質量を示す情報を表示することを含み、
方法は、第１の質量信号と、第２の移動平均質量信号とを生成することであって、
前記第１の質量信号はリアルタイムセンサ信号であるか、又は第２の質量信号より短い持続時間にわたり平均化された移動平均信号である、ことと、
リアルタイム質量信号と前記移動平均信号とのうち１つを表示することとを含む、
請求項９に記載の方法。
【請求項１４】
前記第１の光センサ読み取り値と第２の光センサ読み取り値は、同じセンサ位置において順次的に、又は異なるセンサ位置において同時に取られる、
請求項９に記載の方法。
【請求項１５】
コンピュータで実行されると、請求項９に記載の方法を実施するように適応されたコンピュータコード手段を含むコンピュータプログラム。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
少なくとも１つの合成ナノ粒子を含む調製物であって、
前記少なくとも１つの合成ナノ粒子が、
生存生物により産生され、酸化鉄を主として含む結晶鉱物中心部と、
前記中心部を完全にまたは部分的に覆い、前記生存生物により産生されない材料を含む被覆層と
を含み、
前記被覆層が、前記生存生物により産生されるタンパク質を含まず、および
前記少なくとも１つの合成ナノ粒子が、前記生存生物により産生される１２質量％未満の炭素を含む、調製物。
【請求項２】
前記生存生物が、細菌である、請求項１に記載の調製物。
【請求項３】
前記中心部が、磁赤鉄鉱および／または磁鉄鉱を含む、請求項１に記載の調製物。
【請求項４】
前記少なくとも１つの合成ナノ粒子が、非発熱性である、請求項１に記載の調製物。
【請求項５】
前記少なくとも１つの合成ナノ粒子が、医療デバイス、薬物または化粧品に適用可能な現行の少なくとも１つの品質または規制基準を順守する内毒素量、特に、ＩＳＯ品質基準または現行薬局方に準拠する内毒素量を含む、請求項１に記載の調製物。
【請求項６】
前記少なくとも１つの合成ナノ粒子の前記被覆層が、少なくとも２つの合成ナノ粒子からなる鎖に配列することを可能にし、前記少なくとも２つの合成ナノ粒子が、前記鎖の長手方向に延伸された結晶軸を有する、請求項１に記載の調製物。
【請求項７】
前記被覆層が、前記少なくとも１つの合成ナノ粒子の中心部との弱い相互作用または共有結合を確立することができる少なくとも１つの化合物を含む、請求項１に記載の調製物。
【請求項８】
前記被覆層が、Ｆｅ２＋もしくはＦｅ３＋イオン、ヒドロキシルＯＨ−、酸化物Ｏ２−との相互作用もしくは結合を確立することができる少なくとも１つの化合物、または前記中心部の結晶欠陥を引き起こすことができる少なくとも１つの化合物を含む、請求項１に記載の調製物。
【請求項９】
前記被覆層が、炭素質化合物を含む、請求項１に記載の調製物。
【請求項１０】
前記被覆層が、キレート剤、両親媒性分子、極性または荷電ポリマー、金属酸化物または酸化ケイ素、金属またはケイ素の水酸化物、酸、これらの化合物の酸性、塩基性、酸化、還元、中性、正荷電、負荷電誘導体、ならびにこれらの化合物または誘導体のいくつかについての組合せからなる群から選択される、少なくとも１つの化合物を含む、請求項１に記載の調製物。
【請求項１１】
前記被覆層が、
多糖類、脂肪酸、リン脂質、アミノ酸のポリマー、高分子または非高分子シリカ、および脂肪族アミノ酸ポリマーから、
これらの化合物の酸性、塩基性、酸化、還元、中性、正荷電、負荷電誘導体、ならびに
これらの化合物または誘導体のいくつかについての組合せから
なる群から選択される、少なくとも１つの化合物を含む、請求項１に記載の調製物。
【請求項１２】
前記被覆層が、
カルボン酸、リン酸、スルホン酸、エステル、アミド、ケトン、アルコール、フェノール、チオール、アミン、エーテル、スルフィド、酸無水物、ハロゲン化アシル、アミジン、ニトリル、ヒドロペルオキシド、イミン、アルデヒド、過酸化物から、
これらの化合物の酸性、塩基性、酸化、還元、中性、正荷電、負荷電誘導体、および
これらの化合物または誘導体のいくつかについての組合せから、
なる群から選択される、少なくとも１つの化合物を含む、請求項１に記載の調製物。
【請求項１３】
個体または動物の腫瘍を処置する方法であって、請求項１に記載の調製物の治療活性量が前記個体または動物に投与される、方法。
【請求項１４】
請求項１に記載の調製物を有効成分として含み、任意選択で少なくとも１つの薬学的に許容される担体を含む、医薬組成物または医薬品。
【請求項１５】
請求項１に記載の調製物を含む医療デバイス。
【請求項１６】
請求項１に記載の調製物を含む診断用組成物。
【請求項１７】
請求項１に記載の調製物を化粧品有効成分として含む化粧品組成物。
【請求項１８】
請求項１に記載の調製物を製造する方法であって、
（ｉ）酸化鉄で主として構成されている結晶化した中心部と周囲の生物学的被覆層とを含む、生存生物により合成されるナノ粒子の調製物から、前記中心部を単離する工程；
（ｉｉ）結果として得られた単離された中心部を、前記中心部を被覆層で覆うように処理する工程；
（ｉｉｉ）任意選択で、工程（ｉ）の後または工程（ｉｉ）の後に前記調製物を滅菌する工程
を含む方法。
【請求項１９】
前記中心部が、走磁性細菌により合成される、請求項１に記載の調製物。
【請求項２０】
前記中心部が、１ｎｍ〜２μｍの間に含まれるサイズを有する、請求項１に記載の調製物。
【請求項２１】
前記生存生物により産生される１２質量％未満の炭素が、変性化合物に含まれる、請求項１に記載の調製物。
【請求項２２】
前記被覆層が、０．１ｎｍより厚い厚さを有する、請求項１に記載の調製物。
【請求項２３】
前記少なくとも１つの合成ナノ粒子が、
生存生物により産生される少なくとも１つの天然ナノ粒子を得るまたはそのような天然ナノ粒子から出発する工程であって、前記少なくとも１つの天然ナノ粒子が、酸化鉄を主として含む結晶鉱物中心部と、前記中心部を覆う周囲の原被覆層とを含む、工程；
前記中心部が、前記中心部を産生した前記生存生物に由来する１２質量％未満の炭素を伴うがタンパク質を伴わないように、前記中心部から前記周囲の原被覆層の少なくとも一部分を除去する工程、および
前記周囲の原被覆層の前記少なくとも一部分が除去された前記中心部に、前記生存生物により産生されない新たな被覆層を完全にまたは部分的に塗布して、前記中心部を産生した前記生存生物に由来する１２質量％未満の炭素を含むが、前記中心部を産生した前記生存生物に由来するタンパク質を含まない少なくとも１つの合成ナノ粒子を形成する工程
を含む方法により調製される、請求項９に記載の調製物。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2018521971.tif 000001
で表される構造を有する、５−ＨＴ受容体モジュレーターである化合物またはその薬学的に許容し得る塩、水和物、または溶媒和物であって、式中：
Ｒ１、Ｒ２、およびＲ３の各々は独立して、置換基であり、
Ｒ５、Ｒ６、およびＲ７の各々は独立して、水素または置換基であり、および
Ｒ４は、任意に置換されていてもよい炭素環のまたはヘテロ環の環系である、
前記化合物。
【請求項２】
化合物が、実質的にヒト脳には蓄積しない、請求項１に記載の化合物。
【請求項３】
Ｒ１、Ｒ２、およびＲ３を持つ窒素が、正に荷電されている、請求項２に記載の化合物。
【請求項４】
化合物が、５−ＨＴ１受容体（例として、５−ＨＴ１Ａ、５−ＨＴ１Ｂ、５−ＨＴ１Ｃ、５−ＨＴ１Ｄ、５−ＨＴ１Ｅ、５−ＨＴ１Ｆの１以上）；５−ＨＴ２受容体（例として、５−ＨＴ２Ａ、５−ＨＴ２Ｂ、５−ＨＴ２Ｃの１以上）；５−ＨＴ３受容体；５−ＨＴ４受容体；５−ＨＴ５受容体（例として、５−ＨＴ５Ａ）；５−ＨＴ６受容体；およびＨＴ７受容体の１以上のモジュレーターである、請求項１〜３のいずれか一項に記載の化合物。
【請求項５】
モジュレーションが、完全アゴニズム、部分アゴニズム、アンタゴニズム、逆アゴニズムおよび阻害から選択される、請求項１〜４のいずれか一項に記載の化合物。
【請求項６】
化合物が、セロトニン５−ＨＴ７および５−ＨＴ１Ａ受容体でのデュアル部分アゴニストである、請求項１〜５のいずれか一項に記載の化合物。
【請求項７】
化合物が、セロトニン５−ＨＴ２Ａ、５−ＨＴ２Ｂ、および５−ＨＴ２Ｃ受容体の１以上のモジュレーターである、請求項１〜５のいずれか一項に記載の化合物。
【請求項８】
化合物が、セロトニン５−ＨＴ２ｃ受容体を阻害する、請求項７に記載の化合物。
【請求項９】
化合物が、セロトニン５−ＨＴ２ｃ受容体を、５−ＨＴ２ａまたは５−ＨＴ２ｂに対して選択的に阻害する、請求項８に記載の化合物。
【請求項１０】
化合物が、前記セロトニン受容体の１以上に対し、別のセロトニン受容体より、少なくとも約１０倍、または少なくとも約２０倍、または少なくとも約３０倍、または少なくとも約４０倍、または少なくとも約５０倍、または少なくとも約７５倍、または少なくとも約１００倍高い親和性で、選択的に結合する、請求項１〜９のいずれか一項に記載の化合物。
【請求項１１】
化合物が、鏡像異性的に純粋である、請求項１〜１０のいずれか一項に記載の化合物。
【請求項１２】
Ｒ１、Ｒ２、およびＲ３の各々が、メチルである、請求項１〜１１のいずれか一項に記載の化合物。
【請求項１３】
Ｒ５、Ｒ６、およびＲ７が、各々独立して、水素、アルキル、アリール、ハロ、ニトロ、アミノ、ヘテロアリール、シクロアルキル、ヘテロ環、またはアルコキシである、請求項１〜１２のいずれか一項に記載の化合物。
【請求項１４】
Ｒ４が、任意に置換されていてもよいフェニル、ナフチル、またはフラン環である、請求項１〜１３のいずれか一項に記載の化合物。
【請求項１５】
Ｒ４が、１以上のアルキル、アルコキシ、またはハロ置換基で置換されている、請求項１４に記載の化合物。
【請求項１６】
Ｒ４が、オルト−フルオロまたはオルト−クロロ置換フェニルである、請求項１４に記載の化合物。
【請求項１７】
Ｒ４が、メチルまたはメトキシ置換基を有する、請求項１４に記載の化合物。
【請求項１８】
Ｒ４が、メタ−メチルまたはメタ−メトキシ置換フェニルである、請求項１７に記載の化合物。
【請求項１９】
Ｒ４が、非置換ナフチルである、請求項１４に記載の化合物。
【請求項２０】
化合物が、ＣＹＰ１Ａ２、ＣＹＰ２Ｃ１９、ＣＹＰ２Ｃ９、ＣＹＰ２Ｄ６、ＣＹＰ２Ｅ１、およびＣＹＰ３Ａ４から選択されるＰ４５０の１以上の形態に対して、生理学的に適切な基質ではない、請求項１〜１９のいずれか一項に記載の化合物。
【請求項２１】
請求項１〜２０のいずれか一項に記載の化合物の治療量、および薬学的に許容し得る賦形剤または担体を含む、医薬組成物。
【請求項２２】
化合物が、実質的に鏡像異性的に純粋である、請求項２１に記載の医薬組成物。
【請求項２３】
胃腸の障害または疾病を処置するかまたは予防するための医薬の製造のための、請求項１〜２０のいずれか一項に記載の化合物または請求項２１もしくはは２２に記載の医薬組成物の使用。
【請求項２４】
胃腸の障害または病気が、炎症性腸疾患、過敏性腸症候群、セリアック病、および腸管感染症から選択される、請求項２３に記載の使用。
【請求項２５】
患者が、クローン病または潰瘍性大腸炎を有する、請求項２３または２４に記載の使用。
【請求項２６】
心肺障害を処置するかまたは予防するための医薬の製造のための、請求項１〜２０のいずれか一項に記載の化合物または請求項２１もしくは２２に記載の医薬組成物の使用であって、それを必要とする患者へ、前記化合物または組成物を投与することを含む、前記使用。
【請求項２７】
心肺障害が、心弁膜症および肺高血圧症の１以上である、請求項２６に記載の使用。
【請求項２８】
化合物が、（２Ｓ）−５−（２’−フルオロフェニル）−Ｎ，Ｎ，Ｎ−トリメチル−テトラヒドロナフタレン−２−アミンである、請求項１６に記載の化合物。
【請求項２９】
化合物が、（２Ｓ）−５−（２’−フルオロフェニル）−Ｎ，Ｎ，Ｎ−トリメチル−テトラヒドロナフタレン−２−アミンである、請求項２１に記載の医薬組成物。
【請求項３０】
化合物が、（２Ｓ）−５−（２’−フルオロフェニル）−Ｎ，Ｎ，Ｎ−トリメチル−テトラヒドロナフタレン−２−アミンである、請求項２３に記載の使用。
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
配列番号１に記載のアミノ酸配列を有するペプチドまたはその類似体もしくは誘導体と、ＰＤ１アンタゴニストまたはＰＤ−Ｌ１アンタゴニストとをパッケージングしたパッケージング材料を含む、がん治療用に特定された製品。
【請求項２】
前記ＰＤ１アンタゴニストがＰＤ１抗体を含む、請求項１に記載の製品。
【請求項３】
前記ＰＤ−Ｌ１アンタゴニストがＰＤ−Ｌ１抗体を含む、請求項１に記載の製品。
【請求項４】
前記がんが膵臓がんである、請求項１〜３のいずれか一項に記載の製品。
【請求項５】
前記がんが胃がんである、請求項１〜３のいずれか一項に記載の製品。
【請求項６】
前記がんが非小細胞肺がんである、請求項１〜３のいずれか一項に記載の製品。
【請求項７】
前記がんが急性骨髄性白血病である、請求項１〜３のいずれか一項に記載の製品。
【請求項８】
ペプチドおよび免疫チェックポイントレギュレーターのがん治療用医薬としての使用であって、前記ペプチドは配列番号１に記載のアミノ酸配列を有するペプチド、またはその類似体もしくは誘導体であり、前記免疫チェックポイントレギュレーターは、ＰＤ１アンタゴニストおよびＰＤ−Ｌ１アンタゴニストから選ばれるものである、使用。
【請求項９】
前記ＰＤ１アンタゴニストがＰＤ１抗体を含む、請求項８に記載の使用。
【請求項１０】
前記ＰＤ−Ｌ１アンタゴニストがＰＤ−Ｌ１抗体を含む、請求項８に記載の使用。
【請求項１１】
前記がんが膵臓がんである、請求項８〜１０のいずれか一項に記載の使用。
【請求項１２】
前記がんが胃がんである、請求項８〜１０のいずれか一項に記載の使用。
【請求項１３】
前記がんが非小細胞肺がんである、請求項８〜１０のいずれか一項に記載の使用。
【請求項１４】
前記がんが急性骨髄性白血病である、請求項８〜１０のいずれか一項に記載の使用。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
ガラス物品をイオン交換する方法において、
処理中にガラス物品を保持し、維持するための装置であって、該装置が、ガラス物品を保持するための複数の受入体積を画成し、
複数の流体通路を有する底部支持床と、
前記底部支持床の上に位置し、複数のガラス製品維持開口を有するガラス製品固定部材と、
前記ガラス製品固定部材の上に位置し、複数の流体通路を有するカバープレートと、
を備え、
前記底部支持床、前記ガラス製品固定部材、および前記カバープレートの各々は実質的に平面であり、
前記底部支持床、前記ガラス製品固定部材、および前記カバープレートは互いに実質的に平行であり、
前記ガラス製品固定部材の各ガラス製品維持開口は、前記受入体積の幅寸法を規定し、
前記底部支持床および前記カバープレートは、前記受入体積の高さ寸法を規定する、
装置を提供する工程、
前記受入体積の１つ以上の中に１つ以上のガラス物品を配置する工程、および
前記装置をイオン交換浴中に少なくとも部分的に浸漬して、該１つ以上のガラス物品を該イオン交換浴と接触させる工程、
を有してなる方法。
【請求項２】
前記ガラス物品が前記イオン交換浴中に、該イオン交換浴の表面に対して非垂直角で浸漬される、請求項１記載の方法。
【請求項３】
前記装置が、前記底部支持床、前記ガラス製品固定部材、および前記カバープレートをしっかりと接続する垂直支持体をさらに備える、請求項１記載の方法。
【請求項４】
前記装置が、前記底部支持床と前記カバープレートの間に位置する第２のガラス製品固定部材をさらに備える、請求項１記載の方法。
【請求項５】
前記ガラス製品固定部材のガラス製品維持開口が円形である、請求項１記載の方法。
【請求項６】
前記カバープレートの流体通路の１つ以上が１つのガラス製品維持開口と揃えられている、請求項１記載の方法。
【請求項７】
前記カバープレートの流体通路の１つ以上が円形である、請求項１記載の方法。
【請求項８】
前記カバープレートの流体通路の１つ以上が１つのガラス製品維持開口と揃えられており、
前記カバープレートの流体通路の１つ以上が円形であり、
円形であり、１つのガラス製品維持開口と揃えられた各流体通路の直径が、それが揃えられたガラス製品維持開口の直径よりも小さい、請求項１記載の方法。
【請求項９】
前記カバープレートおよび前記底部支持床が実質的に同一である、請求項１に記載の方法。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
それを必要とするヒト被験体におけるチミジンキナーゼ２（ＴＫ２）欠損を治療する方法において使用するための、デオキシシチジン（ｄＣ）およびデオキシチミジン（ｄＴ）の混合物を含む、治療上効果的な量の組成物。
【請求項２】
前記治療上効果的な量が、
ａ）前記組成物中の各デオキシヌクレオシドの約１００ｍｇ／ｋｇ／日と約１０００ｍｇ／ｋｇ／日の間であるか、
ｂ）前記組成物中の各デオキシヌクレオシドの約２００ｍｇ／ｋｇ／日と約８００ｍｇ／ｋｇ／日の間であるか、または
ｃ）前記組成物中の各デオキシヌクレオシドの約２５０ｍｇ／ｋｇ／日と約４００ｍｇ／ｋｇ／日の間である、請求項１に記載の組成物。
【請求項３】
前記治療上効果的な量が、前記組成物中の各デオキシヌクレオシドの約１００ｍｇ／ｋｇ／日と約４００ｍｇ／ｋｇ／日の間である、請求項１に記載の組成物。
【請求項４】
前記治療上効果的な量が、前記組成物中の各デオキシヌクレオシドの約２５０ｍｇ／ｋｇ／日と約４００ｍｇ／ｋｇ／日の間である、請求項１に記載の組成物。
【請求項５】
前記治療上効果的な量が、
ａ）前記組成物中の全デオキシヌクレオシドの約１００ｍｇ／ｋｇ／日と約１０００ｍｇ／ｋｇ／日の間であるか、
ｂ）前記組成物中の全デオキシヌクレオシドの約２００ｍｇ／ｋｇ／日と約８００ｍｇ／ｋｇ／日の間であるか、または
ｃ）前記組成物中の全デオキシヌクレオシドの約２５０ｍｇ／ｋｇ／日と約４００ｍｇ／ｋｇ／日の間である、請求項１に記載の組成物。
【請求項６】
デオキシシチジン（ｄＣ）とデオキシチミジン（ｄＴ）の比は、５０／５０、５／９５、１０／９０、１５／８５、２０／８０、２５／７５、３０／７０、３５／６５、４０／６０、４５／５５、５５／４５、６０／４０、６５／３５、７０／３０、７５／２５、８０／２０、８５／１５、９０／１０、または９５／５である、請求項１〜５のいずれか１項に記載の組成物。
【請求項７】
前記デオキシシチジン（ｄＣ）とデオキシチミジン（ｄＴ）の比は、５０／５０である、請求項６に記載の組成物。
【請求項８】
前記組成物が、１日に１回、１日に２回、１日に３回、１日に４回、１日に５回または１日に６回投与される、請求項１〜７のいずれか１項に記載の組成物。
【請求項９】
前記組成物が、経口、髄腔内、経腸、または静脈内で投与される、請求項１〜８のいずれか１項に記載の組成物。
【請求項１０】
前記組成物が、経口投与され、かつ前記組成物が、牛乳、ヒト母乳、乳児用人工乳または水をさらに含む、請求項９に記載の組成物。
【請求項１１】
前記被験体にチミジンホスホリラーゼの阻害剤を投与することをさらに含む、請求項１〜１０のいずれか１項に記載の組成物。
【請求項１２】
前記チミジンホスホリラーゼの阻害剤が、チピラシルである、請求項１１に記載の組成物。
【請求項１３】
前記被験体にシチジンデアミナーゼの阻害剤を投与することをさらに含む、請求項１〜１２のいずれか１項に記載の組成物。
【請求項１４】
前記シチジンデアミナーゼ阻害剤が、テトラヒドロウリジン（ＴＨＵ）である、請求項１３に記載の組成物。
【請求項１５】
前記被験体に投与される前記組成物の前記治療上効果的な量が、経時的に増加され、任意で前記被験体に投与される前記組成物の最初の治療上効果的な量が、組成物の約１００ｍｇ／ｋｇ／日であり、かつ前記組成物の前記治療上効果的な量が、経時的に２００ｍｇ／ｋｇ／日に、４００ｍｇ／ｋｇ／日に、８００ｍｇ／ｋｇ／日に、１０００ｍｇ／ｋｇ／日まで増加される、請求項１に記載の組成物。
【請求項１６】
前記組成物が、医薬品として許容可能な担体を含む、請求項１〜１５のいずれか１項に記載の組成物。
【請求項１７】
前記治療する方法は、前記組成物の前記投与後に前記被験体をモニタリングすることをさらに含み、
ａ．筋の強度および制御を観察すること、
ｂ．身長と体重における差を観察すること、
ｃ．移動性を観察すること、および
ｄ．前記組成物の投与後に観察（ａ）〜（ｃ）のいずれかが増加する場合に前記被験体の症状における改善を決定すること、および前記組成物の投与後に観察（ａ）〜（ｃ）のいずれかが同じであるか低下する場合に改善がないと決定すること
を含む、請求項１に記載の組成物。
【請求項１８】
ステップ（ｄ）において改善がないという前記決定がされる場合、前記組成物の前記治療上効果的な量が増加される、請求項１７に記載の組成物。
【請求項１９】
前記治療する方法は、前記組成物の投与後に前記被験体を有害効果についてモニタリングすることをさらに含み、ここで有害効果が認められる場合、前記組成物の前記治療上効果的な量が低減される、請求項１に記載の組成物。
【請求項２０】
前記組成物の前記治療上効果的な量が低減された後に前記被験体を前記認められた有害効果についてモニタリングすることをさらに含み、ここで前記有害効果がもはや認められない場合、前記組成物の前記治療上効果的な量が増加される、請求項１９に記載の組成物。
【請求項２１】
有害効果が、胃腸不耐性である、請求項１９に記載の組成物。
【請求項２２】
前記有害効果が、下痢および腹部膨満からなる群から選択される、請求項１９に記載の組成物。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
動物の寄生生物寄生の治療または予防における使用のための、医薬上許容される溶媒および共溶媒中のイソオキサゾリンと、ビタミンＥとを含む医薬組成物であって、
該イソオキサゾリンが化合物
【化１】
2018521995.tif 000001
［式中、
Ｒ１＝ハロゲン、ＣＦ３、ＯＣＦ３またはＣＮ；
ｎ＝０〜３（それらを含む）の整数；
ｍ＝１または２；
Ｒ２＝Ｃ１−Ｃ３ハロアルキル；
Ｔ＝５員または６員または二環式環構造であり、これは、所望により、１以上の基Ｙにより置換されていてもよい；
Ｙ＝メチル、ハロメチル、ハロゲン、ＣＮ、ＮＯ２、ＮＨ２−Ｃ＝Ｓであるか、または２つの隣接基Ｙが一緒になって鎖を形成している；
Ｑ＝Ｘ−ＮＲ３Ｒ４、ＮＲ５−ＮＲ６−Ｘ−Ｒ３、Ｘ−Ｒ３または５員Ｎ−ヘテロアリール環であり、これは、所望により、１以上の基により置換されていてもよい；
Ｘ＝ＣＨ２、ＣＨ（ＣＨ３）、ＣＨ（ＣＮ）、ＣＯ、ＣＳ；
Ｒ３＝水素、メチル、ハロエチル、ハロプロピル、ハロブチル、メトキシメチル、メトキシエチル、ハロメトキシメチル、エトキシメチル、ハロエトキシメチル、プロポキシメチル、エチルアミノカルボニルメチル、エチルアミノカルボニルエチル、ジメトキシエチル、プロピニルアミノカルボニルメチル、Ｎ−フェニル−Ｎ−メチル−アミノ、ハロエチルアミノカルボニルメチル、ハロエチルアミノカルボニルエチル、テトラヒドロフリル、メチルアミノカルボニルメチル、（Ｎ，Ｎ−ジメチルアミノ）−カルボニルメチル、プロピルアミノカルボニルメチル、シクロプロピルアミノカルボニルメチル、プロペニルアミノカルボニルメチル、ハロエチルアミノカルボニルシクロプロピル、アルキルスルファニルアルキル、アルキルスルフィニルアルキル、アルキルスルホニルアルキル、シクロアルキル、
【化２】
2018521995.tif 000002
2018521995.tif 000003
ここで、
ＺＡ＝水素、ハロゲン、シアノまたはハロメチル（ＣＦ３）；
Ｒ４＝水素、エチル、メトキシメチル、ハロメトキシメチル、エトキシメチル、ハロエトキシメチル、プロポキシメチル、メチルカルボニル、エチルカルボニル、プロピルカルボニル、シクロプロピルカルボニル、メトキシカルボニル、メトキシメチルカルボニル、アミノカルボニル、エチルアミノカルボニルメチル、エチルアミノカルボニルエチル、ジメトキシエチル、プロピニルアミノカルボニルメチル、ハロエチルアミノカルボニルメチル、シアノメチルアミノカルボニルメチルまたはハロエチルアミノカルボニルエチル；
Ｒ５＝Ｈ、アルキルまたはハロアルキル；
Ｒ６＝Ｈ、アルキルまたはハロアルキル；
あるいは、Ｒ３およびＲ４は一緒になって、
【化３】
2018521995.tif 000004
からなる群から選択される置換基を形成している］であり、該医薬組成物が水サニタイザーを含む飲料水に前記組成物を希釈することによって薬用飲料水を製造するために使用される、ことを特徴とする医薬組成物。
【請求項２】
ビタミンＥがアルファ−トコフェロールである、請求項１記載の医薬組成物。
【請求項３】
イソオキサゾリンが、フルララネル（Ｆｌｕｒａｌａｎｅｒ）、アフォキソラネル（Ａｆｏｘｏｌａｎｅｒ）、ロチラネル（Ｌｏｔｉｌａｎｅｒ）およびサロラネル（Ｓａｒｏｌａｎｅｒ）からなる群から選択される１以上である、請求項１または２記載の医薬組成物。
【請求項４】
イソオキサゾリンがフルララネルである、請求項３記載の医薬組成物。
【請求項５】
医薬上許容される溶媒中でイソオキサゾリンを溶解し、ビタミンＥを混合する工程を含む、請求項１〜４のいずれか１項記載の医薬組成物の製造方法。
【請求項６】
請求項１〜４のいずれか１項記載の医薬組成物の飲料水中の希釈物を含む薬用飲料水。
【請求項７】
飲料水が、少なくとも０．１ｐｐｍの水サニタイザーを含む、請求項６記載の薬用飲料水。
【請求項８】
前記水サニタイザーが酸化性サニタイザーである、請求項６又は７記載の薬用飲料水。
【請求項９】
前記水サニタイザーが次亜塩素酸塩または二酸化塩素である、請求項８記載の薬用飲料水。
【請求項１０】
請求項１〜４のいずれか１項記載の医薬組成物を飲料水中に希釈する工程を含む、請求項６〜９のいずれか一項記載の薬用飲料水の製造方法。
【請求項１１】
衛生化飲料水中に医薬組成物を希釈することによる請求項６〜９のいずれか一項記載の薬用飲料水の製造のための、請求項１〜４のいずれか１項記載の医薬組成物または請求項５記載の製造方法により得られうる医薬組成物の使用。
【請求項１２】
動物の寄生生物寄生の治療または予防における使用のための、請求項１〜４のいずれか１項記載の医薬組成物または請求項５記載の製造方法により得られうる医薬組成物。
【請求項１３】
動物の寄生生物寄生の治療または予防のための医薬の製造のための、請求項１〜４のいずれか１項記載の医薬組成物または請求項５記載の製造方法により得られうる医薬組成物の使用。
【請求項１４】
請求項１〜４のいずれか１項記載の医薬組成物または請求項５記載の製造方法により得られうる医薬組成物を薬用飲料水により非ヒト動物に投与することを含む、動物の寄生生物寄生の治療または予防方法。
【請求項１５】
動物の寄生生物寄生の治療または予防のための医薬の製造のための、請求項６〜９のいずれか一項記載の薬用飲料水または請求項１０記載の製造方法により得られうる薬用飲料水の使用。
【請求項１６】
動物の寄生生物寄生の治療または予防における使用のための、請求項６〜９のいずれか一項記載の薬用飲料水または請求項１０記載の製造方法により得られうる薬用飲料水。
【請求項１７】
請求項６〜９のいずれか一項記載の薬用飲料水または請求項１０記載の製造方法により得られうる薬用飲料水を非ヒト動物に投与することを含む、動物の周辺における寄生節足動物の防除および／または低減のための方法。
【請求項１８】
請求項１記載のイソオキサゾリンを薬用飲料水における分解から保護するためのビタミンＥの使用であって、該飲料水が水サニタイザーを含む、使用。
【請求項１９】
請求項１〜４のいずれか１項記載の医薬組成物または請求項５記載の製造方法により得られうる医薬組成物を含む容器。
【請求項２０】
請求項１９記載の容器と、請求項１〜４のいずれか１項記載の医薬組成物または請求項５記載の製造方法により得られうる医薬組成物の使用説明とを含む、パーツのキット。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
１，２−シス−シクロブタンジカルボキシレート及びカルボプラチンを含む共結晶。
【請求項２】
以下の式（Ｉ）の構造を有する、請求項１に記載の共結晶：
2018521969.tif 000001
【請求項３】
カルボプラチンと１，２−シス−シクロブタンジカルボキシレートが１：１の比で結合される、請求項１に記載の共結晶。
【請求項４】
共結晶が形態Ａである、請求項１〜３のいずれかに記載の共結晶。
【請求項５】
共結晶が図９に示されるＸＲＤＰによって特徴付けられる、請求項１〜３のいずれかに記載の共結晶。
【請求項６】
共結晶が非晶質形態である、請求項１〜４のいずれかに記載の共結晶。
【請求項７】
請求項１〜６のいずれかに記載の共結晶を含む医薬組成物。
【請求項８】
少なくとも一種の治療薬又はアジュバントをさらに含む、請求項７に記載の医薬組成物。
【請求項９】
治療薬又はアジュバントが、葉酸、補酵素Ｑ１０、クルクミン、グルタチオン（ＧＳＨ）、アロエ、オリザノール、５−フルオロウラシル、及びボルテゾミブからなる群から選択される、請求項８に記載の医薬組成物。
【請求項１０】
対象のがんをその必要において治療するための医薬組成物であって、医薬組成物が、請求項１〜６のいずれかに記載の共結晶を有効成分として含み、共結晶が、医薬組成物中に治療有効量で存在する、医薬組成物。
【請求項１１】
がんが、膀胱がん、非小細胞肺がん、子宮頸がん、肛門がん、膵臓がん、頭頸部がんを含む扁平上皮がん、腎細胞がん、皮膚がん、メラノーマ、卵巣がん、小細胞肺がん、子宮内膜がん、グリア芽腫、星状細胞腫、乏突起膠腫、上皮細胞腫、神経線維肉腫、髄膜腫、消化管間質腫瘍、乳がん、肺がん、大腸がん、甲状腺がん、骨肉腫、胃がん、口腔がん、口腔咽頭がん、胃がん、腎臓がん、肝臓がん、前立腺がん、食道がん、精巣がん、婦人科がん、結腸がん、脳腫瘍、白血病（ｌｅｕｋｅｍｉａ）、リンパ腫、白血病（ｌｅｕｃｏｃｙｔｈｅｍｉａ）、及び多発性骨髄腫から選択される、請求項１０に記載の医薬組成物。
【請求項１２】
がんが、前立腺がん、腎臓がん、及び白血病（ｌｅｕｃｏｃｙｔｈｅｍｉａ）からなる群から選択される、請求項１０に記載の医薬組成物。
【請求項１３】
対象のウイルス感染をその必要において治療するための医薬組成物であって、医薬組成物が、請求項１〜６のいずれかに記載の共結晶を有効成分として含み、医薬組成物が、葉酸、補酵素Ｑ１０、クルクミン、グルタチオン（ＧＳＨ）、アロエ、オリザノール、５−フルオロウラシル、及びボルテゾミブからなる群から選択される少なくとも一種の治療薬又はアジュバントをさらに含み、共結晶が、医薬組成物中に治療有効量で存在する、医薬組成物。
【請求項１４】
ウイルスが、アデノウイルス、単純ヘルペスウイルス、ヒトパピローマウイルス、ＶＩＴＡＭＩＮ  Ｋ  ウイルス、天然痘ウイルス、Ｂ型肝炎ウイルス（ＨＢＶ）、パルボウイルスＢ１９、ヒトアストロウイルス、ノーウォークウイルス、Ａ型肝炎ウイルス（ＨＡＶ）、重症急性呼吸器症候群ウイルス、Ｃ型肝炎ウイルス（ＨＣＶ）、黄熱病ウイルス、デングウイルス、ウエストナイルウイルス、ＴＢＥウイルス、風疹ウイルス、Ｅ型肝炎ウイルス（ＨＥＶ）、ヒト免疫不全ウイルス（ＨＩＶ）、インフルエンザウイルス、ラッサ熱ウイルス（ＬＡＳＶ）、クリミアコンゴ出血熱ウイルス、ハンターンウイルス、エボラウイルス、マールブルグウイルス、麻疹ウイルス、ムンプスウイルス、パラインフルエンザウイルス、呼吸器合胞体ウイルス、狂犬病ウイルス、Ｄ型肝炎ウイルス（ＨＤＶ）、ロタウイルス、オルビウイルス、コルチウイルス、及びバンナウイルスからなる群から選択される、請求項１３に記載の医薬組成物。
【請求項１５】
ウイルスが、Ｂ型肝炎ウイルス（ＨＢＶ）、Ｃ型肝炎ウイルス（ＨＣＶ）、ヒト免疫不全ウイルス（ＨＩＶ）、又はハンターンウイルスである、請求項１３に記載の医薬組成物。
【請求項１６】
医薬組成物が、医薬的に許容可能な担体又は水性媒体に溶解又は分散された有効量の共結晶及び医薬的に許容可能な量の少なくとも一種の治療薬又はアジュバントを含む水性組成物である、請求項１０〜１２のいずれかに記載の医薬組成物。
【請求項１７】
医薬組成物が、点滴、注射又は経口経路によって投与される、請求項１０〜１２のいずれかに記載の医薬組成物。
【請求項１８】
（ｉ）カルボプラチンと１，２−シス−シクロブタンジカルボキシレートをある比率で溶媒中に与え、（ｉｉ）ある時間期間、その混合物をスラリー状にするか又は攪拌し、そして（ｉｉｉ）工程（ｉｉ）で形成された共結晶を単離することを含む、共結晶の製造方法。
【請求項１９】
比率がモルで約１：１１である、請求項１８に記載の方法。
【請求項２０】
医薬組成物が、点滴、注射又は経口経路によって投与される、請求項１３〜１５のいずれかに記載の医薬組成物。
【請求項２１】
医薬組成物が、医薬的に許容可能な担体又は水性媒体に溶解又は分散された有効量の共結晶及び医薬的に許容可能な量の少なくとも一種の治療薬又はアジュバントを含む水性組成物である、請求項１３〜１５のいずれかに記載の医薬組成物。